(57)【特許請求の範囲】
【請求項１】
遊技盤に取付けられる入賞装置本体への球の入賞を左右する可動体が電磁ソレノイドで駆動され、
前記電磁ソレノイドが、コアから下方に突出するように設けられたプランジャを磁気エネルギーにより上方に移動し復帰ばねのばね力により下方に移動する単動型に形成され、
前記復帰ばねが、
前記プランジャを囲むコイル状であって、
前記プランジャの先端部に結合された運動変換機構の駆動体と前記コアとの間に前記プランジャの周囲を取巻くように配置され、
前記復帰ばねの下端は前記駆動体に当接し、
前記復帰ばねの上端と前記コアとの間には、前記プランジャが磁気エネルギーで上方に所定距離移動した後に前記プランジャにばね力を与えるための隙間が形成されていることを特徴とするパチンコ機の電動入賞口装置。
【請求項２】
前記可動体と前記プランジャとが直線運動を回転運動に変換する運動変換機構により関連付けられたことを特徴とする請求項１記載のパチンコ機の電動入賞口装置。  
【発明の詳細な説明】
【０００１】
【発明の属する技術分野】
本発明は、パチンコ機の電動入賞口装置に関する。
【０００２】
【従来の技術】
特許第２７２１８５３号公報で開示された電動入賞口装置は、球取入口を開閉し得る可動体が単動型の電磁ソレノイドにより開閉されるようになっている。
【０００３】
【発明が解決しようとする課題】
前記従来の電動入賞口装置では、復帰ばねのばね力がプランジャにプランジャの全ストロークで作用する構造である。つまり、プランジャが磁気エネルギーで一方向に移動する過程において復帰ばねを圧縮又は伸長の一方形態とし、上記磁気エネルギーが消磁されることにより、復帰ばねが伸長又は圧縮の他方形態となる。このため、図５に仮想線Ｌ２で示す復帰ばねのばね力特性の傾斜角度が大きくなるように、復帰ばねのばね力を強くし、ばね力で移動するプランジャの速度を速くすると、プランジャを移動する磁気エネルギーに対するばね力による抵抗が大きくなり、磁気エネルギーで移動するプランジャの移動速度が遅くなる。よって、復帰ばねのばね力を強くすると、ばね力を受ける部品の負担が大きくなってしまう。
【０００４】
そこで、本発明は、励磁駆動による応答速度向上とばね力を受ける部品負担軽減とが図れる電動入賞口装置を提供するものである。
【０００５】
【課題を解決するための手段】
本発明にあっては、遊技盤に取付けられる入賞装置本体への球の入賞を左右する可動体が電磁ソレノイドで駆動され、この電磁ソレノイドがコアから下方に突出するように設けられたプランジャを磁気エネルギーにより上方に移動し復帰ばねのばね力により下方に移動する単動型に形成され、プランジャが磁気エネルギーで所定距離移動した後にプランジャにばね力を与える復帰ばねが設けられたことを特徴としている。この復帰バネは、具体的には、プランジャを囲むコイル状であって、プランジャの先端部に結合された運動変換機構の駆動体とコアとの間にプランジャの周囲を取巻くように配置されており、かつ、復帰ばねの下端は駆動体に当接し、復帰ばねの上端とコアとの間には、プランジャが磁気エネルギーで上方に所定距離移動した後にプランジャにばね力を与えるための隙間が形成されている。本発明の構成によれば、プランジャが磁気エネルギーで所定距離移動した後に、復帰ばねがプランジャにばね力を与えるので、可動体の応答速度が高速化でき、復帰ばねのばね力を受ける部品の負担が軽減できる。
又、本発明にあっては、可動体とプランジャとが直線運動を回転運動に変換する運動変換機構により関連付けられれば、可動体とプランジャとが入賞装置本体に設けられる位置設定の自由度が増す。  
【０００６】
【発明の実施の形態】
図１〜図４は本発明の第１実施形態であって、図１は電動入賞口装置１の主要部を摸式的に示し、図２は分解された電動入賞口装置１の外観を前側から示し、図３は組立てられた電動入賞口装置１の主要部の外観を裏側から示し、図４は遊技盤３６に取付けられた電動入賞口装置１の正面を示し、図５はプランジャ２３移動距離と復帰ばね２５との関係を示す。
【０００７】
図２及び図３を参照し、電動入賞口装置１の全体構造について説明する。電動入賞口装置１は、合成樹脂製の入賞装置本体２に、電磁ソレノイド２０、運動変換機構２６、合成樹脂よりなる一対の可動体３５等が組付けられる。入賞装置本体２は前方開放状に形成された箱体の内部に棚部６を有する。棚部６は、入賞装置本体２の背壁３より前方に突出した胴体の左右に翼を広げた形態である。入賞装置本体２の開口全縁にはフランジ７が外側に突出し、棚部６より下部における入賞装置本体２の開口縁には周壁８が前方に突出する。フランジ７には入賞装置本体２を図４の遊技盤３６に固定する止ねじを挿入するための複数の取付孔９が形成される。入賞装置本体２の前側が後側よりも低くなる傾斜状に形成された底壁４の前縁と周壁８との間には、中央の特定入賞口（Ｖゾーン）１０、左右の普通入賞口１１が形成される。
【０００８】
フランジ７には左右の筒状の支持孔部１２を備える。フランジ７より裏側に延びた支持孔部１２は入賞装置本体２の外側面にも固定される。入賞装置本体２の前面上部には天飾部１３が形成される。天飾部１３は上方より落下する球が入賞装置本体２の内部に進入しないように区画されるものである。天飾部１３の左右側壁部と周壁８の左右側壁部５との間には入賞装置本体２への球取入口１４が切欠状に形成される。
【０００９】
電磁ソレノイド２０は、コア２１の内部に装着された励磁コイル２２を有し、励磁コイル２２の内部に移動可能に挿入されたプランジャ２３が上下方向に移動し得るように、コア２１が背壁３の裏側面に固定される。第１実施形態の電磁ソレノイド２０では、図外の制御装置からの駆動制御により、励磁コイル２２が磁気エネルギーを発生し、この励磁コイル２２の磁気エネルギー発生（励磁）に伴い、プランジャ２３が上方に移動し、図外の制御装置からの停止制御により、励磁コイル２２が上記磁気エネルギーの発生を停止し、この励磁コイル２２の磁気エネルギー消滅（消磁）に伴い、プランジャ２３が下方に移動する。
【００１０】
コア２１より下方に突出したプランジャ２３の先端には運動変換機構２６の駆動体２７がピン２８で結合され、駆動体２７とコア２１との間にはプランジャ２３を非接触に取巻くように囲むコイル状の復帰ばね２５が配置される。復帰ばね２５の下端が駆動体２７で受止められることにより、復帰ばね２５の上端とコア２１との間には所定の隙間Ｈが形成される。隙間Ｈの存在により、プランジャ２３が上方に励磁駆動を開始して隙間Ｈと同等の所定距離移動した後に、復帰ばね２５はばね力をプランジャ２３に付勢する。
【００１１】
つまり、プランジャ２３が励磁駆動により上方に移動を開始すると、駆動体２７で支えられた復帰ばね２５も上方に移動し、隙間Ｈが徐々に減少する。そして、隙間Ｈがゼロとなり、復帰ばね２５の上端がコア２１に接触する。引続き、プランジャ２３の上方への励磁駆動により、復帰ばね２５がコア２１と駆動体２７との間で圧縮されてばね力をプランジャ２３に与える。最後に、プランジャ２３が励磁駆動による最上位置に停止したとき、復帰ばね２５が最も圧縮された状態となり、プランジャ２３に与えられる復帰ばね２５のばね力は最大となる。
【００１２】
前記プランジャ２３が最上位置に停止した状態において、プランジャ２３が消磁駆動により下方に移動し得るようになると、プランジャ２３が自身の自重と駆動体２７の重さと復帰ばね２５のばね力とにより下方への移動を開始する。その下方への移動に連れて、復帰ばね２５が伸長を開始する。そして、復帰ばね２５が定長に復帰すると、プランジャ２３が復帰ばね２５のばね力より解放される。引続き、プランジャ２３の自重と駆動体２７の重さと下方への慣性運動力とにより、復帰ばね２５が駆動体２７と一緒に下方に移動し、隙間Ｈが徐々に大きくなる。最後にプランジャ２３が最下位置に停止したとき、隙間Ｈが所定の設定寸法に復元する。
【００１３】
運動変換機構２６は、電磁ソレノイド２０の直線運動を可動体３５への回転運動に変換するものであって、入賞装置本体２の支持孔部１２に回転可能に装着される支点としての一対の支持軸２９、支持孔部１２より裏側に突出した支持軸２９の後端に回転しないように個別に取付けられる一対の可動腕３０、支持軸２９を中心として可動腕３０を回転し得るように可動腕３０に連結された駆動体２７とを備える。可動腕３０と駆動体２７との連結構造は、可動腕３０と支持軸２９との連結部分より位置がずれて可動腕３０の夫々より裏側に突出した一対の突部３１が駆動体２７の左右両側端部に形成された一対の長孔３２に移動可能に挿入された形態である。
【００１４】
一対の可動体３５は入賞装置本体２の支持孔部１２より前側に突出した一対の支持軸２９に回転しないように個別に取付けられる。この可動体３５の支持軸２９への取付姿勢は、プランジャ２３が最下位置に停止した際に、支持軸２９よりも下側に位置する可動体３５の下側部における外側面が入賞装置本体２の球取入口１４周りの周壁８における内側面に接触するように、又、支持軸２９よりも上側に位置する可動体３５の上側部が球取入口１４周りの天飾部１３における左右側壁部の外側面に接触又は近接するように、調整される。可動体３５における上側部の天飾部１３における左右側壁部５への近接は、可動体３５の上側部と天飾部１３の左右側壁部５との間に球の通過不可能な隙間が存在した形態であれば良い。
【００１５】
よって、プランジャ２３が最下位置に停止することにより、可動体３５が図１にも実線で示すように球取入口１４を閉じる。球取入口１４が可動体３５で閉じられることにより、球が入賞装置本体２に入ることは不可能となる。可動体３５の下側部が入賞装置本体２の周壁８に接触することにより、プランジャ２３は運動変換機構２６を介してそれよりも下方への移動が阻止された最下位置に停止するので、球取入口１４周りの周壁８がプランジャ２３を最下位置に停止させるストッパとして機能する。このストッパ機能は、可動体３５の下側部と入賞装置本体２の周壁８との接触に代えて、可動体３５の上側部と天飾部１３の左右側壁部との接触で行っても良い。
【００１６】
可動体３５が球取入口１４を閉じた状態において、電磁ソレノイド２０のプランジャ２３が上方に励磁駆動すると、駆動体２７が上方に移動して突部３１を持上げるに伴い、突部３１が長孔３２内を内側に移動する。この突部３１の移動に連れて可動腕３０が支持軸２９を中心として内側に回転し、支持軸２９が可動腕３０と同じ方向に回転し、可動体３５が支持軸２９を中心として支持軸２９と同じ方向に回転する。この可動体３５の回転により、可動体３５の上側部が左右外側に開き、可動体３５の下側部が左右内側に開く。これによって、可動体３５が図１にも仮想線で示すように球取入口１４を開く。球取入口１４が可動体３５で開かれることにより、球が入賞装置本体２に入ることは可能となる。
【００１７】
可動体３５が最大に開いた状態では、図４にも示すように支持軸２９よりも上側に位置する可動体３５の上側表面が外側端より内側端にかけて徐々に下り勾配となる傾斜面を形成する。その状態において、遊技盤３６の遊技領域に打出された打球が可動体３５から入賞装置本体２の球取入口１４を経由して棚部６へと誘導され、電動入賞口装置１の内部に取込まれる。そして、入賞装置本体２に取込まれた球は棚部６により前方又は後方に誘導される。前方に誘導された球は棚部６の前縁と電動入賞口装置１の前方に配置されるパチンコ機の図外の前面ガラスとの隙間より底壁４の前側に落下し、後方に誘導された球は棚部６の後縁と背壁３との隙間より底壁４の後側に落下する。底壁４に落下した球は底壁４を前側に流下して特定入賞口１０又は普通入賞口１１の何れかに入賞する。それぞれの入賞球は特定入賞口１０及び普通入賞口１１に個別に連接された各球通路部を経由して後方に導かれる。
【００１８】
要するに、図１にも示すように、電磁ソレノイド２０が単動型であって、プランジャ２３が磁気エネルギーで隙間Ｈに相当する所定距離を移動した後にプランジャ２３にばね力を与えるように、復帰ばね２５が設けられたことにより、電動入賞口装置１での応答速度が高速化でき、復帰ばね２５のばね力を受けるコア２１や駆動体２７の負担が軽減できる。復帰ばね２５がプランジャ２３を囲む形態が非接触であるので、復帰ばね２５がプランジャ２３の移動に連れて位置ずれすることがなく、隙間Ｈが適切に復帰する。復帰ばね２５の一端との間に隙間Ｈを形成する電磁ソレノイド２０の部品がコア２１であるので、電磁ソレノイド２０の復帰ばね２５を受ける構造が簡素化できる。
【００１９】
図５を参照し、前記電動入賞口装置１での応答速度向上とばね力を受ける部品の負担軽減とについて説明する。図５では、横軸がプランジャ２３のストローク（移動距離）、縦軸がプランジャ２３に付勢されるばね力、実線Ｌ１が第１実施形態における復帰ばね２５のばね力特性、仮想線Ｌ２が対比例のばね力特性である。プランジャ２３が励磁駆動により最下位置Ｓ１から最上位置Ｓ３側に移動を開始してから復帰ばね２５の効き始め位置Ｓ２に到達するまでは、プランジャ２３に加わるばね力はゼロである。その後、プランジャ２３が復帰ばね２５の効き始め位置Ｓ２を最上位置Ｓ３側に過ぎると、実線Ｌ１で示すばね力が徐々に上昇しつつプランジャ２３に付勢される。最後に、プランジャ２３が最上位置Ｓ３に到達すると、プランジャ２３に付勢されるばね力は実線Ｌ１に示す最大値となる。
【００２０】
つまり、プランジャ２３が最下位置Ｓ１から復帰ばね２５の効き始め位置Ｓ２まで移動する過程では、プランジャ２３には復帰ばね２５のばね力は付勢されないので、復帰ばね２５のばね力がプランジャ２３を移動する磁気エネルギーに対し抵抗ゼロとなり、プランジャ２３が磁気エネルギーにより高速に移動を開始する。又、プランジャ２３が消磁駆動により最上位置Ｓ３から復帰ばね２５の効き始め位置Ｓ２まで移動する過程では、プランジャ２３には実線Ｌ１で示すばね力が付勢されているので、プランジャ２３が高速に移動を開始する。又、隙間Ｈの間は復帰ばね２５のばね力が図１のコア２１や駆動体２７のようなばね力を受ける部品に作用しないので、ばね力を受ける部品の負担が軽減する。
【００２１】
図６〜図９は本発明の第２実施形態であって、図６は電動入賞口装置４１の正面を示し、図７は電動入賞口装置４１の主要部の断面を示し、図８は電動入賞口装置４１の可動体４３が開いた主要部の外観を示し、図９は電動入賞口装置４１の可動体４３が閉じた主要部の外観を示す。
【００２２】
図６を参照し、電動入賞口装置４１の正面構造について説明する。電動入賞口装置４１は上段のデジタル表示器のような図柄可変表示器４２と下段の可動体４３と可動体４３で開閉される前方開放状の箱型の入賞装置本体４４と周辺のフランジ４５とを有し、フランジ４５に形成された取付孔４６より図外の止ねじを遊技盤３６に締結することにより、電動入賞口装置４１が遊技盤３６に取付けられる。
【００２３】
図７を参照し、可動体４３が電磁ソレノイド２０で駆動される構造について説明する。入賞装置本体４４は前面より球取入口４７に入賞した球を裏面側に誘導する形態である。入賞装置本体４４には可動体４３が支持軸４８を中心として上下方向に回転可能に取付けられる。可動体４３は支持軸４８より前側が後側より重くなるように重心が支持軸４８より前側に設定されたことにより、可動体４３は自重により仮想線示位置へと下方に回転し得る。可動体４３が実線で示すように上方に回転して球取入口４７を閉じることにより、球が入賞装置本体４４に入ることは不可能となる。可動体４３が図示位置より下方に回転して球取入口４７を開くことにより、球が入賞装置本体４４に入ることは可能となる。
【００２４】
電動入賞口装置４１の裏面に取付けられた電磁ソレノイド２０の直線運動を可動体４３への回転運動に変換する運動変換機構５０は、プランジャ２３の下部に取付けられた駆動体５１、入賞装置本体４４の側面に軸５２を回転中心として取付けられたレバー状の可動腕５３、可動腕５３の自由端側に形成された長孔５４、可動体４３より電動入賞口装置４１の裏側に延設された開閉動作体５５を備える。そして、駆動体５１が長孔５４に移動可能に挿入された状態において、電磁ソレノイド２０の励磁コイル２２が消磁され、プランジャ２３が図９にも示すように下方に移動することにより、可動腕５３の先端部が開閉動作体５５を押し下げることにより、可動体４３が図７に実線で示すように上方に回転して球取入口４７を閉じる。又、電磁ソレノイド２０の励磁コイル２２が励磁され、プランジャ２３が図８にも示すように上方に移動することにより、可動腕５３が上方に回転し、この回転に伴い可動体４３が自重により図７の実線示位置より仮想線示位置へと回転して球取入口４７を開く。
【００２５】
プランジャ２３を非接触に取巻くように囲むコイル状の復帰ばね２５の下端が駆動体５１で受止められることにより、復帰ばね２５の上端とコア２１との間には所定の隙間Ｈが形成される。これによって、第１実施形態と同様に、プランジャ２３が上方に励磁駆動を開始して隙間Ｈと同等の所定距離移動した後に、復帰ばね２５はばね力をプランジャ２３に付勢する。
【００２６】
図１０は本発明の第３実施形態に係る電動入賞口装置６１の正面を示す。電動入賞口装置６１は電動チューリップ装置のように上方開放状な箱型の入賞装置本体６２より外側にフランジ６３を突出し、フランジ６３に形成された取付孔６４より図外の止ねじを遊技盤３６に締結することにより、電動入賞口装置６１が遊技盤３６に取付けられる。電動入賞口装置６１が遊技盤３６に取付けられた状態において、入賞装置本体６２は遊技盤３６の盤面より前側に突出し、入賞装置本体６２の上方開口が球取入口６５となる。入賞装置本体６２には球取入口６５を開閉し得る一対の可動体６６が支持軸６７を回転中心として回転可能に取付けられる。電動入賞口装置６１の裏側には前記電磁ソレノイド２０に相当する図外の電磁ソレノイドを備える。電磁ソレノイド２０と一対の可動体６６とは前記運動変換機構２６に相当する図外の運動変換機構により連結される。
【００２７】
そして、前記プランジャ２３に相当する図外のプランジャには前記復帰ばね２５に相当する図外の復帰ばねが装着され、復帰ばねの下端が運動変換機構の前記駆動体２７に相当する駆動体で受止められることにより、復帰ばねと前記コア２１に相当するコアとの間には前記隙間Ｈに相当する隙間が設けられる。よって、電磁ソレノイド２０の前記励磁コイル２２に相当する励磁コイルが消磁され、プランジャが下方に移動することにより、可動体６６が実線示位置から仮想線示位置に回転して球取入口６５を閉じる。又、励磁コイルが励磁され、プランジャが上方に移動することにより、可動体６６が仮想線示位置から実線示位置に回転して球取入口４７を開く。可動体６６が閉じた状態であっても球取入口６５への球の入賞は可能であるが、可動体６６が開くことにより球の球取入口６５への入賞の確率は高くなる。
【図面の簡単な説明】
【図１】  本発明の第１実施形態の主要構造を示す摸式図。
【図２】  同第１実施形態の全体外観を分解して示す斜視図。
【図３】  同第１実施形態の主要構造を示す全体外観を示す斜視図。
【図４】  同第１実施形態の遊技盤を示す正面図。
【図５】  同第１実施形態のプランジャ移動距離と復帰ばねとの関係を示す図。
【図６】  本発明第２実施形態の電動入賞口装置を示す正面図。
【図７】  同第２実施形態の電動入賞口装置の主要部を示す断面図。
【図８】  同第２実施形態の可動体が開いた主要部の斜視図。
【図９】  同第２実施形態の可動体が閉じた主要部の斜視図。
【図１０】  本発明の第３実施形態を示す正面図。
【符号の説明】
１  電動入賞口装置
２  入賞装置本体
１４  球取入口
２０  電磁ソレノイド
２３  プランジャ
２５  復帰ばね
２６  運動変換機構
３５  可動体
４１  電動入賞口装置
４３  可動体
４４  入賞装置本体
４７  球取入口
６１  電動入賞口装置
６２  入賞装置本体
６５  球取入口
６６  可動体
【図１】
0004472087.tif 000002
【図２】
0004472087.tif 000003
【図３】
0004472087.tif 000004
【図４】
0004472087.tif 000005
【図５】
0004472087.tif 000006
【図６】
0004472087.tif 000007
【図７】
0004472087.tif 000008
【図８】
0004472087.tif 000009
【図９】
0004472087.tif 000010
【図１０】
0004472087.tif 000011